(57)【要約】      （修正有）【課題】長尺状ベースを容易にオス型コネクタに実装できるプラグ−ソケット型コネクタの提供。【解決手段】プリント配線基板接続用の長尺状ベース１２と、オス型コネクタ１４とを備えるプラグ−ソケット型コネクタ１０であって、オス型コネクタ１４は、挿入側に突出しているソケット筐体を少なくとも１つ有し、ソケット筐体は、断面がライトアングルである底面形状を持ち、両側で互いに対向していると共に底面形状に対応する長手面を含み、長手面同士の間には前面を含み、前面の長手方向には、接触部用のプラグ受入部の挿入用開口が連続して配置されており、プラグ受入部は、互いに対して平行に、且つ、前面に対して垂直に延在しており、プラグ受入部は、挿入用開口に対応して位置決めされており、長尺状ベース１２に永久的に配設されている。【選択図】図１
2010287569.tif 000002
【特許請求の範囲】
【請求項１】
プリント配線基板接続用の長尺状ベース（１２）と、オス型コネクタ（１４）とを備えるプラグ−ソケット型コネクタであって、前記オス型コネクタ（１４）は、挿入側に突出しているソケット筐体（１６）を少なくとも１つ有し、前記ソケット筐体（１６）は、断面がライトアングルである底面形状を持ち、両側で互いに対向していると共に前記底面形状に対応する長手面を含み、前記長手面同士の間には前面を含み、前記前面の長手方向には、接触部（２２）用のプラグ受入部（２０）の挿入用開口（１８）が連続して配置されており、前記プラグ受入部は、互いに対して平行に、且つ、前記前面に対して垂直に延在しており、前記プラグ受入部（２０）は、前記挿入用開口（１８）に対応して位置決めされており、前記長尺状ベース（１２）に取り外せないように配設されており、前記長尺状ベース（１２）を前記オス型コネクタ（１４）に接続するべく、少なくとも１つの誘導部（２４）が設けられており、前記誘導部は、前記オス型コネクタ（１４）が前記長尺状ベース（１２）に実装された実装状態では、前記オス型コネクタ（１４）の２つの挿入用開口（１８）の間、および、前記長尺状ベース（１２）のプラグ受入部（２０）のうち、前記２つの挿入用開口（１８）に対応する２つのプラグ受入部（２０）の間に位置しており、
前記長尺状ベース（１２）は、少なくとも２つの長尺状ベース部（３４）を有し、前記誘導部（２４）は、第１の長尺状ベース部（３４）と第２の長尺状ベース部（３４）との間の接続領域に位置しているプラグ−ソケット型コネクタ。
【請求項２】
プリント配線基板接続用の長尺状ベース（１２）と、オス型コネクタ（１４）とを備えるプラグ−ソケット型コネクタであって、前記オス型コネクタ（１４）は、挿入側に突出しているソケット筐体（１６）を少なくとも１つ有し、前記ソケット筐体（１６）は、断面がライトアングルである底面形状を持ち、両側で互いに対向していると共に前記底面形状に対応する長手面を含み、前記長手面同士の間には前面を含み、前記前面の長手方向には、接触部（２２）用のプラグ受入部（２０）の挿入用開口（１８）が連続して配置されており、前記プラグ受入部は、互いに対して平行に、且つ、前記前面に対して垂直に延在しており、前記プラグ受入部（２０）は、前記挿入用開口（１８）に対応して位置決めされており、前記長尺状ベース（１２）に永久的に配設されており、前記長尺状ベース（１２）を前記オス型コネクタ（１４）に接続するべく、少なくとも１つの誘導部（２４）が設けられており、前記誘導部は、前記オス型コネクタ（１４）が前記長尺状ベース（１２）に実装された実装状態では、前記オス型コネクタ（１４）の２つの挿入用開口（１８）の間、および、前記長尺状ベース（１２）のプラグ受入部（２０）のうち、前記２つの挿入用開口（１８）に対応する２つのプラグ受入部（２０）の間に位置しており、
前記オス型コネクタ（１４）は、少なくとも２つのオス型コネクタ部（３２）を有し、前記誘導部（２４）は、第１のオス型コネクタ部（３２）と第２のオス型コネクタ部（３２）との間の接続領域に位置しているプラグ−ソケット型コネクタ。
【請求項３】
前記誘導部（２４）は、前記実装状態において、前記長尺状ベース（１２）に設けられている構造部（２８）の内部、および、前記オス型コネクタ（１４）に設けられている構造部（２６）の内部に配置される請求項１または請求項２に記載のプラグ−ソケット型コネクタ（１０）。
【請求項４】
前記誘導部（２４）は、前記長尺状ベース（１２）に設けられている前記構造部（２８）の内部で固定されており、前記長尺状ベース（１２）から、前記オス型コネクタ（１４）に設けられている前記構造部（２８）に設けられている開口の内部へと延在している請求項３に記載のプラグ−ソケット型コネクタ（１０）。
【請求項５】
前記誘導部（２４）は、前記オス型コネクタ（１４）に設けられている前記構造部（２８）の内部で固定されており、前記オス型コネクタ（１４）から、前記長尺状ベース（１２）に設けられている前記構造部に設けられている開口の内部へと延在している請求項３に記載のプラグ−ソケット型コネクタ（１０）。
【請求項６】
前記構造部（２６、２８）は、少なくとも２つの部品（３６、３８、３６´、３８´、４０、２４）が結合されることによって構成されており、前記第１の長尺状ベース部（３４）を前記第２の長尺状ベース部（３４）に接続すること、および／または、前記第１のオス型コネクタ部（３２）を前記第２のオス型コネクタ部（３２）に接続することを目的として、前記第１の長尺状ベース部（３４）の第１の部品（３６、３６´）を前記第２の長尺状ベース部（３４）の第２の部品（３８、３８´）に接続することができ、および／または、前記第１のオス型コネクタ部（３２）の第１の部品（４０）を前記第２のオス型コネクタ部（３２）の第２の部品（４０）に接続することができる請求項１から請求項５のうちいずれか一項に記載のプラグ−ソケット型コネクタ（１０）。
【請求項７】
前記第１の長尺状ベース部（３４）を前記第２の長尺状ベース部（３４）の長手面に向かって垂直方向に移動させることによって、前記第１の部品（３６、３６´）を前記第２の部品（３８、３８´）に接続することができ、および／または、前記第１のオス型コネクタ部（３２）を前記第２のオス型コネクタ部（３２）の長手面に向かって垂直方向に移動させることによって、前記第１の部品（４０）を前記第２の部品（４２）に接続することができる請求項６に記載のプラグ−ソケット型コネクタ（１０）。
【請求項８】
前記第１の長尺状ベース部（３４）を前記第２の長尺状ベース部（３４）の長手面に向かって水平方向に移動させることによって、前記第１の部品（３６、３６´）を前記第２の部品（３８、３８´）に接続することができ、および／または、前記第１のオス型コネクタ部（３２）を前記第２のオス型コネクタ部（３２）の長手面に向かって水平方向に移動させることによって、前記第１の部品（４０）を前記第２の部品（４２）に接続することができる請求項６に記載のプラグ−ソケット型コネクタ（１０）。
【請求項９】
前記長尺状ベース（１２）および前記オス型コネクタ（１４）をプリント配線基板および適切なデバイスインターフェースの少なくとも一方に固定するべく、複数の固定部（４４）が設けられており、前記複数の固定部（４４）のうち少なくとも１つの固定部（４４）が、前記オス型コネクタの２つの挿入用開口（１８）の間に配置されており、少なくとも１つの固定部（４４）が、前記長尺状ベース（１２）の２つのプラグ受入部（２０）の間に配置されている請求項１から請求項８のうちいずれか一項に記載のプラグ−ソケット型コネクタ（１０）。
【請求項１０】
前記少なくとも１つの固定部（４４）は、前記少なくとも１つの誘導部（２４）の領域内に配設されている請求項９に記載のプラグ−ソケット型コネクタ（１０）。
【請求項１１】
前記長尺状ベース（１２）および前記オス型コネクタ（１４）は、端部に少なくとも１つの固定部（４４）が設けられており、前記端部は長手方向に構成されている請求項９または請求項１０に記載のプラグ−ソケット型コネクタ（１０）。
【発明の詳細な説明】
【技術分野】
【０００１】
本発明は、プリント配線基板の接続に用いられるプラグ−ソケット型コネクタに関する。
【背景技術】
【０００２】
プラグ−ソケット型コネクタは、さまざまなデザインのものが知られており、機械的にプリント配線基板に固定されて、当該プリント配線基板に対する電気接続を提供するべく長尺状ベースを備えるものが多い。プラグ−ソケット型コネクタのオス型コネクタは、長尺状ベース、ひいては、プリント配線基板上の構造部に対して、送出用および／または受入用の導体を電気接続するという問題を抱えている。オス型コネクタの上に設けられている端末またはオス型コネクタに嵌合している端末は、このような導体を接続するためのものである。
【０００３】
また、振動が加えられても安全なようにオス型コネクタを長尺状ベースに接続することが知られている。例えば、ネジ結合が用いられ、これに対応して、オス型コネクタはネジ状プラグとして構成され、長尺状ベースのフランジにはネジ山が切られる。オス型コネクタの端部と、長尺状ベースの端部とがネジ接続される。このように設計されているプラグ−ソケット型コネクタでは、オス型コネクタと長尺状ベースとをつなぎ合わせることができる差込方向は常に１つのみである。また、ネジ接続を行うと、組み立て時間が比較的長くなってしまう。さらに、差込ソケットが設けられており、相対的に中央に合わせて長尺状ベースをオス型コネクタに実装する場合に挿入ソケットに挿入しなければならない接触部が対応して設けられているが、差込ソケットおよび接触部の数が多いことを考えると、組み立て時に問題なく嵌合させることは難しい。
【発明の概要】
【発明が解決しようとする課題】
【０００４】
本発明の課題は基本的に、長尺状ベースを容易にオス型コネクタに実装できるプラグ−ソケット型コネクタを提供することにある。
【課題を解決するための手段】
【０００５】
上記の課題は、独立請求項に記載の特徴を有する本発明によって解決される。本発明の有利な実施形態は、従属請求項に記載されている。
【０００６】
本発明は、プリント配線基板接続用の長尺状ベースと、オス型コネクタとを備えるプラグ−ソケット型コネクタであって、オス型コネクタは、挿入側に突出しているソケット筐体を少なくとも１つ有し、ソケット筐体は、断面がライトアングルである底面形状を持ち、両側で互いに対向していると共に底面形状に対応する長手面を含み、長手面同士の間には前面を含み、前面の長手方向には、接触部用のプラグ受入部の挿入用開口が連続して配置されており、プラグ受入部は、互いに対して平行に、且つ、前面に対して垂直に延在しており、プラグ受入部は、挿入用開口に対応して位置決めされており、長尺状ベースに永久的に配設されており、長尺状ベースをオス型コネクタに接続するべく、少なくとも１つの誘導部が設けられており、誘導部は、オス型コネクタが長尺状ベースに実装された実装状態では、オス型コネクタの２つの挿入用開口の間、および、長尺状ベースのプラグ受入部のうち、２つの挿入用開口に対応する２つのプラグ受入部の間に位置しており、長尺状ベースは、少なくとも２つの長尺状ベース部を有し、誘導部は、第１の長尺状ベース部と第２の長尺状ベース部との間の接続領域に位置しているプラグ−ソケット型コネクタを提供する。
【０００７】
本発明はさらに、プリント配線基板接続用の長尺状ベースと、オス型コネクタとを備えるプラグ−ソケット型コネクタであって、オス型コネクタは、挿入側に突出しているソケット筐体を少なくとも１つ有し、ソケット筐体は、断面がライトアングルである底面形状を持ち、両側で互いに対向していると共に底面形状に対応する長手面を含み、長手面同士の間には前面を含み、前面の長手方向には、接触部用のプラグ受入部の挿入用開口が連続して配置されており、プラグ受入部は、互いに対して平行に、且つ、前面に対して垂直に延在しており、プラグ受入部は、挿入用開口に対応して位置決めされており、長尺状ベースに永久的に配設されており、長尺状ベースをオス型コネクタに接続するべく、少なくとも１つの誘導部が設けられており、誘導部は、オス型コネクタが長尺状ベースに実装された実装状態では、オス型コネクタの２つの挿入用開口の間、および、長尺状ベースのプラグ受入部のうち、２つの挿入用開口に対応する２つのプラグ受入部の間に位置しており、オス型コネクタは、少なくとも２つのオス型コネクタ部を有し、誘導部は、第１のオス型コネクタ部と第２のオス型コネクタ部との間の接続領域に位置しているプラグ−ソケット型コネクタを提供する。
【０００８】
本発明の重要な特徴は、第１のオス型コネクタ部と第２のオス型コネクタ部との間の接続領域、および、第１の長尺状ベース部と第２の長尺状ベース部との間の接続領域に誘導部が位置している点にある。つまり、誘導部は、長尺状ベース部同士、および、オス型コネクタ部同士が接続される領域に位置している。基本的に、本実施形態では誘導部によって接続が成されているが、必ずしもこのような構成が必要なわけではない。このため、長尺状ベース部とオス型コネクタ部とを互いに接続するための部材を、長尺状ベース部およびオス型コネクタ部自体に設けて、接続を実現するとしてもよい。
【０００９】
誘導部は、長尺状ベースからオス型コネクタに向かって、またはその逆の方向に延在している誘導ボルトまたは誘導ピンとして構成されるのが好ましい。複数の誘導部を設けて、各誘導部をオス型コネクタの挿入用開口のうち２つの挿入用開口の間、および、長尺状ベースのプラグ受入部のうち当該２つの挿入用開口に対応する２つのプラグ受入部の間に配置させるのが好ましい。対応するプラグ受入部とは、当該挿入用開口に挿入されるプラグ受入部を指す。しかし、誘導部を設ける位置は、長尺状ベースおよびオス型コネクタの長手面の２つの端部であってもよい。オス型コネクタが長尺状ベースに実装されている状態において、オス型コネクタの挿入用開口のうち２つの挿入用開口の間、および、長尺状ベースのプラグ受入部のうち当該２つの挿入用開口に対応する２つのプラグ受入部の間に位置する誘導部が少なくとも１つ設けられていることによって、長尺状ベースとオス型コネクタとを確実且つ簡単に中央合わせすることができる。このため、プラグ受入部を簡単且つ短時間で特定の挿入用開口に挿入することができ、長尺状ベースをオス型コネクタに実装する際のコストを大きく削減することができる。
【００１０】
誘導部は、実装状態において、長尺状ベースに設けられている構造部の内部、および、オス型コネクタに設けられている構造部の内部に配置されることが好ましい。このような構成とすることによって、誘導部は、実装状態において、外部から見えなくなるという好ましい効果が得られ、構造部の内部に誘導される。
【００１１】
本発明の好ましい実施形態によると、少なくとも１つの誘導部は、長尺状ベースに設けられている構造部の内部で固定されており、長尺状ベースから、オス型コネクタに設けられている構造部に設けられている開口の内部へと延在している。オス型コネクタを長尺状ベースに実装する際には、オス型コネクタの構造部に設けられている開口を、誘導部に押し当てる。
【００１２】
これに代えて、本発明の別の好ましい実施形態によると、誘導部は、オス型コネクタに設けられている構造部の内部で固定されており、オス型コネクタから、長尺状ベースに設けられている構造部に設けられている開口の内部へと延在している。長尺状ベースをオス型コネクタに実装する際には、長尺状ベースの構造部に設けられている開口を、誘導部に押し当てる。
【００１３】
また、構造部は、少なくとも２つの部品が結合されることによって構成されており、第１の長尺状ベース部を第２の長尺状ベース部に接続すること、および／または、第１のオス型コネクタ部を第２のオス型コネクタ部に接続することを目的として、第１の長尺状ベース部の第１の部品を第２の長尺状ベース部の第２の部品に接続することができ、および／または、第１のオス型コネクタ部の第１の部品を第２のオス型コネクタ部の第２の部品に接続することができることが好ましい。
【００１４】
構造部は、２つの長尺状ベース部が組み合わせられた状態において、第１の長尺状ベース部の挿入用開口と第２の長尺状ベース部の挿入用開口との間、および／または、２つのオス型コネクタ部が組み合わせられた状態において、第１のオス型コネクタ部の接触部と、第２のオス型コネクタ部の接触部との間に配置されるのが好ましい。構造部は、円周面に沿って矩形形状を持つことが好ましい。構造部は、少なくとも２つの部品から構成されているので、所望数の長尺状ベース部または所望数のオス型コネクタ部を互いに位置合わせさせることができる。このため、長尺状ベース部のうち１つは部品を有して、当該第１の長尺状ベース部に結合される長尺状ベース部は、これに嵌合する第２の部品を有することが好ましい。この結果、第１の長尺状ベース部を第２の長尺状ベース部に結合すると、構造部が２つの部品から構成されることになる。この構成は、互いに接続される２つのオス型コネクタ部でも同じである。
【００１５】
本発明の有利な実施形態によると、第１の長尺状ベース部を第２の長尺状ベース部の長手面に向かって垂直方向に移動させることによって、第１の部品を第２の部品に接続することができ、および／または、第１のオス型コネクタ部を第２のオス型コネクタ部の長手面に向かって垂直方向に移動させることによって、第１の部品を第２の部品に接続することができる。
【００１６】
これに代えて、第１の長尺状ベース部を第２の長尺状ベース部の長手面に向かって水平方向に移動させることによって、第１の部品を第２の部品に接続することができ、および／または、第１のオス型コネクタ部を第２のオス型コネクタ部の長手面に向かって水平方向に移動させることによって、第１の部品を第２の部品に接続することができることが好ましい。
【００１７】
本発明のさらに有利な実施形態によると、長尺状ベースおよびオス型コネクタをプリント配線基板および／または適切なデバイスインターフェースに固定するべく、複数の固定部が設けられており、複数の固定部のうち少なくとも１つの固定部が、オス型コネクタの２つの挿入用開口の間に配置されており、少なくとも１つの固定部が、長尺状ベースの２つのプラグ受入部の間に配置されている。固定部は、フランジによって、プリント配線基板および／または適切なデバイスインターフェースに固定されるのが好ましい。このフランジは、長尺状ベースおよびオス型コネクタに形成されている。固定部は、ネジ接続を実現するものとして構成されているのが好ましい。
【００１８】
固定部は、誘導部の領域内に配設されるのが好ましい。内部に誘導部が配置される構造部は、フランジとして構成することができるので、このためにはさらにフランジを設ける必要はない。固定部は、構造部によって、プリント配線基板および／または適切なデバイスインターフェースに直接固定することができる。
【００１９】
また、長尺状ベースおよびオス型コネクタは、端部に少なくとも１つの固定部が設けられており、端部は長手方向に構成されている。
【００２０】
添付図面および好ましい実施形態を参照しつつ以下で詳細に本発明を説明する。
【図面の簡単な説明】
【００２１】
【図１】本発明に係るプラグ−ソケット型コネクタを示す概略図である。
【図２】図１に示すプラグ−ソケット型コネクタのオス型コネクタを示す概略図である。
【図３】第１の実施形態に係る長尺状ベース部を示す概略図である。
【図４】第２の実施形態に係る長尺状ベース部を示す概略図である。
【図５】第２の実施形態に係る長尺状ベース部を示す別の概略図である。
【図６】オス型コネクタ部を１つのみ有する、図１に示すプラグ−ソケット型コネクタを示す概略図である。
【図７】筐体内に収納された図１に示すプラグ−ソケット型コネクタを示す概略図である。
【発明を実施するための形態】
【００２２】
図１は、本発明に係るプラグ−ソケット型コネクタ１０を示す図である。プラグ−ソケット型コネクタ１０は、長尺状ベース１２と、オス型コネクタ１４とを備える。
【００２３】
図１に示すオス型コネクタ１４は、図２にも図示する。オス型コネクタ１４は、挿入側に突出しているソケット筐体１６を３つ有する。ソケット筐体１６は、断面がライトアングルである底面形状を持ち、両側で互いに対向していると共に底面形状に対応する長手面を含む。長手面同士の間には前面が設けられている。その長手方向には、接触部２２（図６を参照）に対応して、プラグ受入部２０の挿入用開口１８が連続して配置されている。プラグ受入部２０は、互いに対して平行に、且つ、前面に対して垂直に延伸しており、挿入用開口２８に対応して位置決めされており、長尺状ベース１２に永久的に配設されている。長尺状ベース１２をオス型コネクタ１４に接続するべく、２つの誘導部２４が設けられている。誘導部２４は、オス型コネクタ１４が長尺状ベース１２に実装された実装状態では、オス型コネクタの挿入用開口１８のうち２つの挿入用開口１８の間、および、長尺状ベース１２のプラグ受入部２０のうち、当該２つの挿入用開口１８に対応する２つのプラグコネクタの間に位置している。
【００２４】
誘導部２４は、実装状態では、長尺状ベース１２に配設されている構造部２６の内部、および、オス型コネクタ１４に配設されている構造部２６の内部に位置している。誘導部２４は、オス型コネクタ１４に配設されている構造部２６の内部に固定して、オス型コネクタ１４から、長尺状ベース１２に配設されている構造部２８に設けられている開口内に向けて延在するように構成することができる。長尺状ベース１２をオス型コネクタ１４に実装する際には、長尺状ベース１２に配設されている構造部２８に設けられている開口を誘導部２４に押し当てる。
【００２５】
図示されている実施形態によると、長尺状ベース１２は３つの長尺状ベース部３４から構成されており、オス型コネクタ１４は３つのオス型コネクタ部３２から構成されている。誘導部２４は、長尺状ベース部３４同士の間の接続領域、および、オス型コネクタ部３２同士の間の接続領域に設けられている。つまり、誘導部２４は、長尺状ベース部３４とオス型コネクタ部３２とが互いに接続されている領域に位置している。基本的に、誘導部２４は接続を実現することができるが、この構成が必ずしも必要なわけではない。長尺状ベース部３４とオス型コネクタ部３２とを互いに接続するための部材を、長尺状ベース部３４およびオス型コネクタ部３２自体に設けて、接続を実現するとしてもよい。
【００２６】
長尺状ベース部３４同士、および、オス型コネクタ部３２同士を接続するべく、構造部２６および２８は、２つの部品３６、３８、３６´、３８´、４０、４２から構成されている。部品３６、３８、３６´、３８´、４０、４２は、対応する部品同士を互いにロックさせることができるようにロック部を有することが好ましい。図３に示す部品３６および３８は、第１の長尺状ベース部３４を、第２の長尺状ベース部３４の長手面に向かって垂直方向に移動させることによって実現され得る。尚、図３に図示している長尺状ベース部３４は１つのみである。図４および図５に示す部品３６´および３８´は、部品３８´を水平方向に、長尺状ベース１２の長手面の方向に向かって押して、別の長尺状ベース１２の部品３６´へと入れることによって、互いに接続することができる。
【００２７】
長尺状ベース１２およびオス型コネクタ１４をプリント配線基板および／または適切なデバイスインターフェース（不図示）に固定するべく、ネジ状の形状を持つ固定部４４を設ける。固定部４４は、オス型コネクタの挿入用開口１８のうち２つの挿入用開口１８の間、および、長尺状ベース１２のプラグ受入部２０のうち２つのプラグ受入部２０の間に位置している。固定部４４は、本実施形態では、誘導部２４の領域に配置されている。内部に誘導部２４が配置される構造部２６および２８は、フランジとして機能することができるので、このためにはさらにフランジを設ける必要はない。また、固定部４４はフランジ４６によって固定することができる。フランジ４６は、長尺状ベース１２およびオス型コネクタ１４に配設されており、プリント配線基板および／または適切なデバイスインターフェースに配設されている。フランジ４６は、長尺状ベース１２の端部およびオス型コネクタ１４の端部に配設されており、当該端部は長手方向に構成されている端部である。
【００２８】
図７において、図１に示したプラグ−ソケット型コネクタ１０が、筐体４８の内部に配置されている。
【符号の説明】
【００２９】
１０    プラグ−ソケット型コネクタ
１２    長尺状ベース
１４    オス型コネクタ
１６    ソケット筐体
１８    挿入用開口
２０    プラグ受入部
２２    接触部
２４    誘導部
２６    構造部
２８    構造部
３０    ネジ接続
３２    オス型コネクタ部
３４    長尺状ベース部
３６    部品
３８    部品
３６´    部品
３８´    部品
４０    部品
４２    部品
４４    固定部
４６    フランジ
４８    筐体
【図１】
2010287569.tif 000003
【図２】
2010287569.tif 000004
【図３】
2010287569.tif 000005
【図４】
2010287569.tif 000006
【図５】
2010287569.tif 000007
【図６】
2010287569.tif 000008
【図７】
2010287569.tif 000009
【外国語明細書】
2010287569.tif 000010
2010287569.tif 000011
2010287569.tif 000012
2010287569.tif 000013
2010287569.tif 000014
2010287569.tif 000015
2010287569.tif 000016
2010287569.tif 000017
2010287569.tif 000018
2010287569.tif 000019
2010287569.tif 000020
2010287569.tif 000021
2010287569.tif 000022
2010287569.tif 000023
2010287569.tif 000024
2010287569.tif 000025
2010287569.tif 000026
2010287569.tif 000027
2010287569.tif 000028
2010287569.tif 000029
2010287569.tif 000030
2010287569.tif 000031
2010287569.tif 000032
2010287569.tif 000033
2010287569.tif 000034